(57)【要約】【課題】抽出した加筆修正情報をデータの再入力処理へ反映させることができない。【解決手段】対応文書画像指定部３０３によって指定された加筆修正前文書の画像データと、当該加筆修正前文書の画像データに対応する加筆修正後文書の画像データとを加筆修正領域抽出部３０４で比較して加筆修正領域を抽出し、当該加筆修正領域を明示した抽出領域明示ファイルを抽出領域明示ファイル作成部３０５で作成し、当該抽出領域明示ファイルを例えばデータベース部３０６を経由して画像出力部４０にて印刷出力あるいは表示出力する。ユーザは、この印刷出力あるいは表示出力を見て、パーソナルコンピュータのキーボードから加筆修正領域の情報のみを修正入力する。【選択図】図２
2007233671.tif 000002
【特許請求の範囲】
【請求項１】
第１の文書ファイルを記憶する第１記憶手段と、
前記第１の文書ファイルに加筆修正されて得られる第２の文書ファイルを記憶する第２記憶手段と、
前記第２記憶手段内の第２の文書ファイルに対応する前記第１記憶手段内の第１の文書ファイルを指定する対応文書ファイル指定手段と、
前記対応文書ファイル指定手段によって指定された第１の文書ファイルと当該第１の文書ファイルに対応する第２の文書ファイルとを比較し、当該第２の文書ファイルの加筆修正領域を抽出する加筆修正領域抽出手段と、
前記加筆修正領域抽出手段によって抽出された前記加筆修正領域を明示したファイルを作成する抽出領域明示ファイル作成手段と
を備えることを特徴とする画像処理装置。
【請求項２】
第１の文書ファイルを記憶する第１記憶手段と、
前記第１の文書ファイルに加筆修正されて得られる第２の文書ファイルを記憶する第２記憶手段と、
前記第２記憶手段内の第２の文書ファイルに対応する前記第１記憶手段内の第１の文書ファイルを指定する対応文書ファイル指定手段と、
前記対応文書ファイル指定手段によって指定された第１の文書ファイルと当該第１の文書ファイルに対応する第２の文書ファイルとを比較し、当該第２の文書ファイルの加筆修正領域を抽出する加筆修正領域抽出手段と、
前記第１の文書ファイルから記入情報および当該記入情報の位置情報を取得し、この取得した記入情報および位置情報をデータ化しかつ関連付けてデータベース部に記憶する関連付け手段と、
前記加筆修正領域抽出手段によって抽出された前記加筆修正領域の位置情報を把握し、当該位置情報に対応する前記データベース部に記憶されている記入情報を前記加筆修正領域の情報に修正する修正手段と
を備えることを特徴とする画像処理装置。
【請求項３】
前記加筆修正領域抽出手段に対して、前記加筆修正領域の抽出度合いを決めるパラメータを設定するパラメータ設定手段をさらに備える
ことを特徴とする請求項１または２記載の画像処理装置。
【請求項４】
第１の文書原稿を画像データとして入力する第１画像入力手段と、
前記第１画像入力手段によって入力された画像データを記憶する第１画像記憶手段と、
前記第１の文書原稿に加筆修正されて得られる第２の文書原稿を画像データとして入力する第２画像入力手段と、
前記第２画像入力手段によって入力された画像データを記憶する第２画像記憶手段と、
前記第２画像記憶手段内の第２の文書原稿の画像データに対応する前記第１画像記憶手段内の第１の文書原稿の画像データを指定する対応文書画像指定手段と、
前記対応文書画像指定手段によって指定された第１の文書原稿の画像データと当該第１の文書原稿に対応する第２の文書原稿の画像データとを比較し、当該第２の文書原稿の加筆修正領域を抽出する加筆修正領域抽出手段と、
前記加筆修正領域抽出手段によって抽出された前記加筆修正領域を明示したファイルを作成する抽出領域明示ファイル作成手段と
を備えることを特徴とする画像処理装置。
【請求項５】
第１の文書原稿を画像データとして入力する第１画像入力手段と、
前記第１画像入力手段によって入力された画像データを記憶する第１画像記憶手段と、
前記第１の文書原稿に加筆修正されて得られる第２の文書原稿を画像データとして入力する第２画像入力手段と、
前記第２画像入力手段によって入力された画像データを記憶する第２画像記憶手段と、
前記第２画像記憶手段内の第２の文書原稿の画像データに対応する前記第１画像記憶手段内の第１の文書原稿の画像データを指定する対応文書画像指定手段と、
前記対応文書画像指定手段によって指定された第１の文書原稿の画像データと当該第１の文書原稿に対応する第２の文書原稿の画像データとを比較し、当該第２の文書原稿の加筆修正領域を抽出する加筆修正領域抽出手段と、
前記第１の文書原稿または当該第1の文書原稿の画像データから記入情報および当該記入情報の位置情報を取得し、この取得した記入情報および位置情報をデータ化しかつ関連付けてデータベース部に記憶する関連付け手段と、
前記加筆修正領域抽出手段によって抽出された前記加筆修正領域の位置情報を把握し、当該位置情報に対応する前記データベース部に記憶されている記入情報を前記加筆修正領域の情報に修正する修正手段と
を備えることを特徴とする画像処理装置。
【請求項６】
前記加筆修正領域抽出手段に対して、前記加筆修正領域の抽出度合いを決めるパラメータを設定するパラメータ設定手段をさらに備える
ことを特徴とする請求項４または５記載の画像処理装置。
【請求項７】
第１の文書ファイルを記憶する第１記憶手段と、
前記第１の文書ファイルに基づく第１の文書原稿に加筆修正されて得られる第２の文書原稿を画像データとして入力する画像入力手段と、
前記画像入力手段によって入力された第２の文書原稿の画像データを記憶する第２記憶手段と、
前記第２記憶手段内の第２の文書原稿の画像データに対応する前記第１記憶手段内の第１の文書ファイルを指定する対応文書ファイル指定手段と、
前記対応文書ファイル指定手段によって指定された第１の文書ファイルに基づく第１の文書原稿の画像データと当該第１の文書ファイルに対応する第２の文書原稿の画像データとを比較し、当該第２の文書原稿の加筆修正領域を抽出する加筆修正領域抽出手段と、
前記加筆修正領域抽出手段によって抽出された前記加筆修正領域を明示したファイルを作成する抽出領域明示ファイル作成手段と
を備えることを特徴とする画像処理装置。
【請求項８】
第１の文書ファイルを記憶する第１記憶手段と、
前記第１の文書ファイルに基づく第１の文書原稿に加筆修正されて得られる第２の文書原稿を画像データとして入力する画像入力手段と、
前記画像入力手段によって入力された第２の文書原稿の画像データを記憶する第２記憶手段と、
前記第２記憶手段内の第２の文書原稿の画像データに対応する前記第１記憶手段内の第１の文書ファイルを指定する対応文書ファイル指定手段と、
前記対応文書ファイル指定手段によって指定された第１の文書ファイルに基づく第１の文書原稿の画像データと当該第１の文書ファイルに対応する第２の文書原稿の画像データとを比較し、当該第２の文書原稿の加筆修正領域を抽出する加筆修正領域抽出手段と、
前記第１の文書ファイルから記入情報および当該記入情報の位置情報を取得し、この取得した記入情報および位置情報をデータ化しかつ関連付けてデータベース部に記憶する関連付け手段と、
前記加筆修正領域抽出手段によって抽出された前記加筆修正領域の位置情報を把握し、当該位置情報に対応する前記データベース部に記憶されている記入情報を前記加筆修正領域の情報に修正する修正手段と
を備えることを特徴とする画像処理装置。
【請求項９】
前記加筆修正領域抽出手段に対して、前記加筆修正領域の抽出度合いを決めるパラメータを設定するパラメータ設定手段をさらに備える
ことを特徴とする請求項７または８記載の画像処理装置。
【請求項１０】
第１の文書ファイルを記憶する第１記憶ステップと、
前記第１の文書ファイルに加筆修正されて得られる第２の文書ファイルを記憶する第２記憶ステップと、
前記第２記憶ステップで記憶した第２の文書ファイルに対応する前記第１記憶ステップで記憶した第１の文書ファイルを指定する対応文書ファイル指定ステップと、
前記対応文書ファイル指定ステップで指定した第１の文書ファイルと当該第１の文書ファイルに対応する第２の文書ファイルとを比較し、当該第２の文書ファイルの加筆修正領域を抽出する加筆修正領域抽出ステップと、
前記加筆修正領域抽出ステップで抽出した前記加筆修正領域を明示したファイルを作成する抽出領域明示ファイル作成ステップと
を有することを特徴とする画像処理方法。
【請求項１１】
第１の文書ファイルを記憶する第１記憶ステップと、
前記第１の文書ファイルに加筆修正されて得られる第２の文書ファイルを記憶する第２記憶ステップと、
前記第２記憶ステップで記憶した第２の文書ファイルに対応する前記第１記憶ステップで記憶した第１の文書ファイルを指定する対応文書ファイル指定ステップと、
前記対応文書ファイル指定ステップで指定した第１の文書ファイルと当該第１の文書ファイルに対応する第２の文書ファイルとを比較し、当該第２の文書ファイルの加筆修正領域を抽出する加筆修正領域抽出ステップと、
前記第１の文書ファイルから記入情報および当該記入情報の位置情報を取得し、この取得した記入情報および位置情報をデータ化しかつ関連付けてデータベース部に記憶する関連付けステップと、
前記加筆修正領域抽出ステップで抽出した前記加筆修正領域の位置情報を把握し、当該位置情報に対応する前記データベース部に記憶されている記入情報を前記加筆修正領域の情報に修正する修正ステップと
を有することを特徴とする画像処理方法。
【請求項１２】
第１の文書原稿を画像データとして入力する第１画像入力ステップと、
前記第１画像入力ステップで入力した画像データを記憶する第１画像記憶ステップと、
前記第１の文書原稿に加筆修正されて得られる第２の文書原稿を画像データとして入力する第２画像入力ステップと、
前記第２画像入力ステップで入力した画像データを記憶する第２画像記憶ステップと、
前記第２画像記憶ステップで記憶した第２の文書原稿の画像データに対応する前記第１画像記憶ステップで記憶した第１の文書原稿の画像データを指定する対応文書画像指定ステップと、
前記対応文書画像指定ステップで指定した第１の文書原稿の画像データと当該第１の文書原稿に対応する第２の文書原稿の画像データとを比較し、当該第２の文書原稿の加筆修正領域を抽出する加筆修正領域抽出ステップと、
前記加筆修正領域抽出ステップで抽出した前記加筆修正領域を明示したファイルを作成する抽出領域明示ファイル作成ステップと
を有することを特徴とする画像処理方法。
【請求項１３】
第１の文書原稿を画像データとして入力する第１画像入力ステップと、
前記第１画像入力ステップで入力した画像データを記憶する第１画像記憶ステップと、
前記第１の文書原稿に加筆修正されて得られる第２の文書原稿を画像データとして入力する第２画像入力ステップと、
前記第２画像入力ステップで入力した画像データを記憶する第２画像記憶ステップと、
前記第２画像記憶ステップで記憶した第２の文書原稿の画像データに対応する前記第１画像記憶ステップで記憶した第１の文書原稿の画像データを指定する対応文書画像指定ステップと、
前記対応文書画像指定ステップで指定した第１の文書原稿の画像データと当該第１の文書原稿に対応する第２の文書原稿の画像データとを比較し、当該第２の文書原稿の加筆修正領域を抽出する加筆修正領域抽出ステップと、
前記第１の文書原稿または当該第1の文書原稿の画像データから記入情報および当該記入情報の位置情報を取得し、この取得した記入情報および位置情報をデータ化しかつ関連付けてデータベース部に記憶する関連付けステップと、
前記加筆修正領域抽出ステップで抽出した前記加筆修正領域の位置情報を把握し、当該位置情報に対応する前記データベース部に記憶されている記入情報を前記加筆修正領域の情報に修正する修正ステップと
を有することを特徴とする画像処理方法。
【請求項１４】
第１の文書ファイルを記憶する第１記憶ステップと、
前記第１の文書ファイルに基づく第１の文書原稿に加筆修正されて得られる第２の文書原稿を画像データとして入力する画像入力ステップと、
前記画像入力ステップで入力した第２の文書原稿の画像データを記憶する第２記憶ステップと、
前記第２記憶ステップで記憶した第２の文書原稿の画像データに対応する前記第１記憶ステップで記憶した第１の文書ファイルを指定する対応文書ファイル指定ステップと、
前記対応文書ファイル指定ステップで指定した第１の文書ファイルに基づく第１の文書原稿の画像データと当該第１の文書ファイルに対応する第２の文書原稿の画像データとを比較し、当該第２の文書原稿の加筆修正領域を抽出する加筆修正領域抽出ステップと、
前記加筆修正領域抽出ステップで抽出した前記加筆修正領域を明示したファイルを作成する抽出領域明示ファイル作成ステップと
を有することを特徴とする画像処理方法。
【請求項１５】
第１の文書ファイルを記憶する第１記憶ステップと、
前記第１の文書ファイルに基づく第１の文書原稿に加筆修正されて得られる第２の文書原稿を画像データとして入力する画像入力ステップと、
前記画像入力ステップで入力した第２の文書原稿の画像データを記憶する第２記憶ステップと、
前記第２記憶ステップで記憶した第２の文書原稿の画像データに対応する前記第１記憶ステップで記憶した第１の文書ファイルを指定する対応文書ファイル指定ステップと、
前記対応文書ファイル指定ステップで指定した第１の文書ファイルに基づく第１の文書原稿の画像データと当該第１の文書ファイルに対応する第２の文書原稿の画像データとを比較し、当該第２の文書原稿の加筆修正領域を抽出する加筆修正領域抽出ステップと、
前記第１の文書ファイルから記入情報および当該記入情報の位置情報を取得し、この取得した記入情報および位置情報をデータ化しかつ関連付けてデータベース部に記憶する関連付けステップと、
前記加筆修正領域抽出ステップで抽出した前記加筆修正領域の位置情報を把握し、当該位置情報に対応する前記データベース部に記憶されている記入情報を前記加筆修正領域の情報に修正する修正ステップと
を有することを特徴とする画像処理方法。
【請求項１６】
第１の文書ファイルを記憶する第１記憶ステップと、
前記第１の文書ファイルに加筆修正されて得られる第２の文書ファイルを記憶する第２記憶ステップと、
前記第２記憶ステップで記憶した第２の文書ファイルに対応する前記第１記憶ステップで記憶した第１の文書ファイルを指定する対応文書ファイル指定ステップと、
前記対応文書ファイル指定ステップで指定した第１の文書ファイルと当該第１の文書ファイルに対応する第２の文書ファイルとを比較し、当該第２の文書ファイルの加筆修正領域を抽出する加筆修正領域抽出ステップと、
前記加筆修正領域抽出ステップで抽出した前記加筆修正領域を明示したファイルを作成する抽出領域明示ファイル作成ステップと
の各処理をコンピュータに実行させることを特徴とする画像処理プログラム。
【請求項１７】
第１の文書ファイルを記憶する第１記憶ステップと、
前記第１の文書ファイルに加筆修正されて得られる第２の文書ファイルを記憶する第２記憶ステップと、
前記第２記憶ステップで記憶した第２の文書ファイルに対応する前記第１記憶ステップで記憶した第１の文書ファイルを指定する対応文書ファイル指定ステップと、
前記対応文書ファイル指定ステップで指定した第１の文書ファイルと当該第１の文書ファイルに対応する第２の文書ファイルとを比較し、当該第２の文書ファイルの加筆修正領域を抽出する加筆修正領域抽出ステップと、
前記第１の文書ファイルから記入情報および当該記入情報の位置情報を取得し、この取得した記入情報および位置情報をデータ化しかつ関連付けてデータベース部に記憶する関連付けステップと、
前記加筆修正領域抽出ステップで抽出した前記加筆修正領域の位置情報を把握し、当該位置情報に対応する前記データベース部に記憶されている記入情報を前記加筆修正領域の情報に修正する修正ステップと
の各処理をコンピュータに実行させることを特徴とする画像処理プログラム。
【請求項１８】
第１の文書原稿を画像データとして入力する第１画像入力ステップと、
前記第１画像入力ステップで入力した画像データを記憶する第１画像記憶ステップと、
前記第１の文書原稿に加筆修正されて得られる第２の文書原稿を画像データとして入力する第２画像入力ステップと、
前記第２画像入力ステップで入力した画像データを記憶する第２画像記憶ステップと、
前記第２画像記憶ステップで記憶した第２の文書原稿の画像データに対応する前記第１画像記憶ステップで記憶した第１の文書原稿の画像データを指定する対応文書画像指定ステップと、
前記対応文書画像指定ステップで指定した第１の文書原稿の画像データと当該第１の文書原稿に対応する第２の文書原稿の画像データとを比較し、当該第２の文書原稿の加筆修正領域を抽出する加筆修正領域抽出ステップと、
前記加筆修正領域抽出ステップで抽出した前記加筆修正領域を明示したファイルを作成する抽出領域明示ファイル作成ステップと
の各処理をコンピュータに実行させることを特徴とする画像処理プログラム。
【請求項１９】
第１の文書原稿を画像データとして入力する第１画像入力ステップと、
前記第１画像入力ステップで入力した画像データを記憶する第１画像記憶ステップと、
前記第１の文書原稿に加筆修正されて得られる第２の文書原稿を画像データとして入力する第２画像入力ステップと、
前記第２画像入力ステップで入力した画像データを記憶する第２画像記憶ステップと、
前記第２画像記憶ステップで記憶した第２の文書原稿の画像データに対応する前記第１画像記憶ステップで記憶した第１の文書原稿の画像データを指定する対応文書画像指定ステップと、
前記対応文書画像指定ステップで指定した第１の文書原稿の画像データと当該第１の文書原稿に対応する第２の文書原稿の画像データとを比較し、当該第２の文書原稿の加筆修正領域を抽出する加筆修正領域抽出ステップと、
前記第１の文書原稿または当該第1の文書原稿の画像データから記入情報および当該記入情報の位置情報を取得し、この取得した記入情報および位置情報をデータ化しかつ関連付けてデータベース部に記憶する関連付けステップと、
前記加筆修正領域抽出ステップで抽出した前記加筆修正領域の位置情報を把握し、当該位置情報に対応する前記データベース部に記憶されている記入情報を前記加筆修正領域の情報に修正する修正ステップと
の各処理をコンピュータに実行させることを特徴とする画像処理プログラム。
【請求項２０】
第１の文書ファイルを記憶する第１記憶ステップと、
前記第１の文書ファイルに基づく第１の文書原稿に加筆修正されて得られる第２の文書原稿を画像データとして入力する画像入力ステップと、
前記画像入力ステップで入力した第２の文書原稿の画像データを記憶する第２記憶ステップと、
前記第２記憶ステップで記憶した第２の文書原稿の画像データに対応する前記第１記憶ステップで記憶した第１の文書ファイルを指定する対応文書ファイル指定ステップと、
前記対応文書ファイル指定ステップで指定した第１の文書ファイルに基づく第１の文書原稿の画像データと当該第１の文書ファイルに対応する第２の文書原稿の画像データとを比較し、当該第２の文書原稿の加筆修正領域を抽出する加筆修正領域抽出ステップと、
前記加筆修正領域抽出ステップで抽出した前記加筆修正領域を明示したファイルを作成する抽出領域明示ファイル作成ステップと
の各処理をコンピュータに実行させることを特徴とする画像処理プログラム。
【請求項２１】
第１の文書ファイルを記憶する第１記憶ステップと、
前記第１の文書ファイルに基づく第１の文書原稿に加筆修正されて得られる第２の文書原稿を画像データとして入力する画像入力ステップと、
前記画像入力ステップで入力した第２の文書原稿の画像データを記憶する第２記憶ステップと、
前記第２記憶ステップで記憶した第２の文書原稿の画像データに対応する前記第１記憶ステップで記憶した第１の文書ファイルを指定する対応文書ファイル指定ステップと、
前記対応文書ファイル指定ステップで指定した第１の文書ファイルに基づく第１の文書原稿の画像データと当該第１の文書ファイルに対応する第２の文書原稿の画像データとを比較し、当該第２の文書原稿の加筆修正領域を抽出する加筆修正領域抽出ステップと、
前記第１の文書ファイルから記入情報および当該記入情報の位置情報を取得し、この取得した記入情報および位置情報をデータ化しかつ関連付けてデータベース部に記憶する関連付けステップと、
前記加筆修正領域抽出ステップで抽出した前記加筆修正領域の位置情報を把握し、当該位置情報に対応する前記データベース部に記憶されている記入情報を前記加筆修正領域の情報に修正する修正ステップと
の各処理をコンピュータに実行させることを特徴とする画像処理プログラム。
【発明の詳細な説明】
【技術分野】
【０００１】
本発明は、画像処理装置、画像処理方法および画像処理プログラムに関する。
【背景技術】
【０００２】
画像処理の分野において、例えばプリンタやＦＡＸ（ファクシミリ装置）などから出力したドキュメントに、ユーザがペンや鉛筆などで追記（加筆）した部分を抽出する処理について、様々な研究、開発が行われている。このような追記抽出技術として、従来、文書ファイルを画像に変換した画像データと加筆した画像データとを比較し差分を抽出する技術（例えば、特許文献１参照）や、追記画像からポインタ（バーコード、文字、図形）を抽出・認識して元画像を検索し、元画像と追記画像との差分を抽出する技術（例えば、特許文献２参照）などが知られている。
【０００３】
【特許文献１】特開２００３−１１５０３９号公報
【特許文献２】特開２００５−１４９０９７号公報
【０００４】
ところで、離れた箇所同士間（例えば、会社Ａと会社Ｂとの間）で紙文書（例えば、多くの数値データが入った調査報告書等の書類）をやり取りすることが多々ある。一例として、会社Ａと会社Ｂとの間で調査報告書をやり取りする場合の処理の流れについて以下に説明する。
【０００５】
（処理ステップ１）
会社Ａは、調査報告書（紙文書）に調査データを手書き記入し、それを会社Ｂに郵送あるいはＦＡＸ（ファクシミリ）などの通信手段にて送付する。
【０００６】
（処理ステップ２）
会社Ｂは、会社Ａから送付された調査報告書を基に調査データをコンピュータに手入力する。また、調査報告書の記入内容をチェックし、修正点、不足点（データ）や抜け漏れがあった場合には会社Ａに調査報告書を戻す。
【０００７】
（処理ステップ３）
会社Ａは会社Ｂから戻された同一の調査報告書に対して加筆修正を行って当該調査報告書を再度会社Ｂに送付する。
【０００８】
（処理ステップ４）
会社Ｂは、処理ステップ２で入力したデータを含む全調査データを再度コンピュータに手入力する。また、調査報告書の記入内容をチェックし、修正点、不足点（データ）や抜け漏れがあった場合には再度会社Ａに調査報告書を戻す。
【０００９】
以下、処理ステップ３，４の各処理が繰り返される。
【００１０】
この処理例の場合、処理ステップ４において、２度目以降に会社Ｂが調査報告書（加筆修正された文書）を受領し、データを入力する際に、本来、２度目以降に加筆修正されたデータを入力すれば良いものを、どこが加筆修正されたデータであるかが不明であるために、全データについて再入力しているのが現状である。何故ならば、加筆修正されたデータがどれであるか明示されておらず、また何度目の加筆修正であるかがわからないからである。
【００１１】
加筆修正箇所であることを調査報告書に明示できない代表的な理由として次の３つの理由が挙げられる。
・調査報告書には、調査データ以外の事項を記入してはいけないという制約がある。
・ＦＡＸ送信など郵送以外の電子的な送付の場合には、付箋を貼ることができない。
・会社Ａの方が会社Ｂよりも立場が上の場合、会社Ｂから会社Ａに対して調査データ記入以外の依頼ができない。
【発明の開示】
【発明が解決しようとする課題】
【００１２】
このように、離れた箇所同士で紙文書をやり取りする場合においても、先述した特許文献１，２等に記載の従来の追記抽出技術を適用することで、加筆修正（追記修正）された情報を抽出することができる。しかしながら、これら従来の追記抽出技術は、加筆修正された情報を抽出することはできるものの、その抽出した加筆修正情報をデータの再入力処理へ反映させることはできない。
【００１３】
本発明は、上記課題に鑑みてなされたものであって、その目的とするところは、抽出した加筆修正情報をデータの再入力処理へ反映させることが可能な画像処理装置、画像処理方法および画像処理プログラムを提供することにある。
【課題を解決するための手段】
【００１４】
上記目的を達成するために、本発明では次のような構成を採っている。すなわち、第１の文書ファイル（または、第１の文書原稿）と、第１の文書ファイル（または、第１の文書原稿）に加筆修正されて得られる第２の文書ファイル（または、第２の文書原稿）とを記憶する一方、第２の文書ファイル（または、第２の文書原稿）に対応する第１の文書ファイル（または、第１の文書原稿）を指定する。そして、この指定した第１の文書ファイル（または、第１の文書原稿）とこれに対応する第２の文書ファイル（または、第２の文書原稿）とを比較し、当該第２の文書ファイル（または、第２の文書原稿）の加筆修正領域を抽出し、この抽出した加筆修正領域を明示したファイルを作成するようにする。
【００１５】
また、第１の文書ファイル（または、第１の文書原稿の画像データ）から記入情報および当該記入情報の位置情報を取得し、この取得した記入情報および位置情報をデータ化しかつ関連付けてデータベース部に記憶しておき、第２の文書ファイル（または、第２の文書原稿の画像データ）から抽出した加筆修正領域の位置情報を把握し、当該位置情報に対応する前記データベース部に記憶されている位置情報の記入情報を加筆修正領域の情報に修正（自動修正）するようにする。
【００１６】
第１の文書ファイル（または、第１の文書原稿）と第２の文書ファイル（または、第２の文書原稿）とを基に加筆修正情報を修正入力（再入力）して加筆修正抽出文書を作成する画像処理において、加筆修正領域を明示したファイルを作成することで、抽出した加筆修正領域の情報を再入力処理へ反映させることができる。したがって、作業者（ユーザ）は加筆修正された情報のみを再入力するだけで良いために、再入力の作業性を大幅に向上できる。また、自動修正により、作業者による再入力が不要になるために、作業性をさらに向上できる。
【発明の効果】
【００１７】
本発明によれば、抽出した加筆修正領域を明示したファイルを作成することにより、抽出した加筆修正領域の情報を再入力処理へ反映させることができるために、作業者による再入力の作業性を大幅に向上できる。また、自動修正処理を可能にすることにより、作業者による再入力の作業性が不要になるために、加筆修正抽出文書を作成する作業性をより向上できる。
【発明を実施するための最良の形態】
【００１８】
以下、本発明の実施の形態について図面を参照して詳細に説明する。
【００１９】
図１は、本発明が適用される画像情報処理システムの構成の概略を示すシステム構成図である。本適用例に係る画像情報処理システムは、離れた箇所同士間、例えば会社Ａと会社Ｂとの間で紙文書、当該紙文書を電子化した文書ファイルあるいは当該文書ファイルを画像化（ラスタライズ）した画像データをやり取りするシステム構成となっている。
【００２０】
図１において、会社Ａは、パーソナルコンピュータ（以下、「ＰＣ」と略記する）１と、当該ＰＣ１に接続された周辺機器、例えばスキャン機能、プリント機能、ファクシミリ（ＦＡＸ）機能等の各機能を複合的に備えた複合機２とを備えた画像処理装置３を持っている。会社Ｂは、同じく、ＰＣ４および複合機５を備えた画像処理装置６を持っている。そして、会社Ａ側の画像処理装置３のＰＣ１と会社Ｂ側の画像処理装置６のＰＣ４とは、インターネット等のネットワーク７を介して相互に通信可能に接続されている。
【００２１】
なお、ここでは、ＰＣ１，４の周辺機器として、複合機２，５を備えたシステム構成の場合を例に挙げて示しているが、必要に応じて、スキャナ、プリンタ、ファクシミリ装置を個別に備えたシステム構成を採ることも可能である。また、会社Ａ，Ｂの各々が備えるＰＣについては１台に限られるものではなく、複数台であっても良いことは勿論である。
【００２２】
上記構成の画像情報処理システムにおいて、本実施形態では、一例として、会社Ｂが会社Ａに対して所望の調査を依頼した際に、その調査結果を会社Ｂが提供した調査報告書に会社Ａが記入して会社Ｂに送付し、この送付された調査報告書に記入されている調査結果を会社Ｂ側でＰＣに入力するシステム構成の場合を例に挙げて説明する。
【００２３】
ここで、会社Ｂと会社Ａとの間での調査報告書のやり取りの仕方として、調査報告書を紙文書でやり取りする、当該紙文書を電子化して文書ファイルでやり取りする、あるいは当該文書ファイルを画像化（ラスタライズ）して画像データでやり取りするなどが考えられる。
【００２４】
図２は、本発明の一実施形態に係る画像処理装置の構成例を示すブロック図である。本実施形態に係る画像処理装置は、上記構成の画像情報処理システムにおける会社Ｂ側の画像処理装置６に相当する。
【００２５】
図２に示すように、本実施形態に係る画像処理装置は、第１画像入力部１０、第２画像入力部２０、画像データ処理部３０および画像出力部４０を有する構成となっている。
【００２６】
第１画像入力部１０は、図１の複合機５の画像読取部（スキャナ）に相当し、第１の文書原稿である加筆修正前の紙文書（以下、「加筆修正前文書」と記述する）を読み取って画像データとして画像データ処理部３０に入力する。ここで、加筆修正前文書は、未記入の紙文書（原本文書）に記入が行われた記入済み紙文書に対して１回目の加筆修正が行われたときは、１回目の加筆修正が行われる前の紙文書（最初の記入済み文書）となり、２回目の加筆修正が行われたときは、１回目の加筆修正が行われた紙文書となり、……、となる。
【００２７】
第２画像入力部２０は、例えば複合機５の画像読取部に相当し、第２の文書原稿である加筆修正後の紙文書（以下、「加筆修正後文書」と記述する）を読み取って画像データとして画像データ処理部３０に入力する。ここで、加筆修正後文書は、１回目の加筆修正（例えば、未記入フォームへの記入）が行われたときは、１回目の加筆修正後の紙文書（第１版）となり、２回目の加筆修正が行われたときは、２回目の加筆修正後の紙文書（第２版）となり、３回目の加筆修正が行われたときは、３回目の加筆修正後の紙文書（第３版）となり、……、となる。
【００２８】
なお、ここでは、会社Ａから会社Ｂに対して、加筆修正後文書が郵送で送付され、この送付された加筆修正後文書を会社Ｂ側の第２画像入力部２０で画像化して画像データ処理部３０に入力するとした。この場合には、第１，第２画像入力部１０，２０として、図１の複合機５の画像読取部が共用されることになる。
【００２９】
これに対して、会社Ａ側の画像処理装置３で加筆修正後文書を画像化し、その画像データを会社Ｂ側の画像処理装置６にネットワーク７を介して送信する手法を採ることも可能である。この場合は、会社Ａ側の画像処理装置３からネットワーク７を介して送信される加筆修正後文書についての画像データを受信し、画像データ処理部３０に入力するデータ通信手段が第２画像入力部２０に相当することになる。
【００３０】
画像データ処理部３０は、第１，第２画像記憶部３０１，３０２、対応文書画像指定部３０３、加筆修正領域抽出部３０４、抽出領域明示ファイル作成部３０５、データベース部３０６、パラメータ設定部３０７、データ修正部３０８、データ位置算出部３０９、データ関連付け部３１０、データ修正部３１１、データ位置算出部３１２およびデータ修正部３１３を有する構成となっている。
【００３１】
この画像データ処理部３０において、第１画像記憶部３０１は、第１画像入力部１０によって入力された加筆修正前文書の画像データを記憶する。第２画像記憶部３０２は、第２画像入力部２０によって入力された加筆修正後文書の画像データを記憶する。なお、ここでは、第１，第２画像記憶部３０１，３０２を別々の構成要素として示しているが、同じ記憶装置を共用し、当該記憶装置に別々に設定した２つの記憶領域を第１，第２画像記憶部３０１，３０２として用いることも可能である。
【００３２】
対応文書画像指定部３０３は、第２画像記憶部３０２から読み出す加筆修正後文書の画像データに含まれる例えばコード情報を解析して、当該加筆修正後文書の画像データに対応する加筆修正前文書の画像データを第１画像記憶部３０１に対して指定し、当該加筆修正前文書の画像データを第１画像記憶部３０１から読み出す。
【００３３】
対応文書画像指定部３０３としては、例えば、ユーザが操作する操作部（図示せず）を兼用することができる。この場合は、加筆修正後文書の画像データに対応する加筆修正前文書の画像データをユーザが手動で指定することになる。ただし、対応文書画像指定部３０３は、ユーザによる手動指定に限られるものではなく、加筆修正後文書の画像データに対応する加筆修正前文書の画像データを自動で探索する構成であっても良い。
【００３４】
具体的には、加筆修正前文書および加筆修正後文書の両画像データに関連するファイル名を付与しておき、加筆修正後文書の画像データに付与したファイル名から同名または類似名の加筆修正前文書の画像データを自動で探索するようにする。また、加筆修正後文書の画像データに含まれるバーコードやＱＲコード（登録商標）等のコード情報からファイル名を抽出するようにする。さらに、加筆修正後文書の画像データに含まれるバーコードやＱＲコード等のコード情報をデータベース部３０６のデータベースと照合させ、ファイルを探索するようにする。
【００３５】
加筆修正領域抽出部３０４は、対応文書画像指定部３０３により指定された加筆修正前文書の画像データと、当該加筆修正前文書の画像データに対応する加筆修正後文書の画像データとを比較することで、加筆修正後文書中から加筆修正が施された領域（以下、「加筆修正領域」と記述する）を抽出する。加筆修正領域は、加筆修正された文字・数字等を単位とする場合もあれば、文字・数字等の集合を単位とする場合もある。また、画素単位の場合もある。
【００３６】
（加筆修正領域抽出部）
図３に、加筆修正領域抽出部３０４の構成の一例を示す。図３に示すように、本例に係る加筆修正領域抽出部３０４は、ノイズ除去部３０４１，３０４２、位置合わせ部３０４３、膨張処理部３０４４、差分抽出部３０４５および孤立除去部３０４６を有する構成となっている。
【００３７】
ノイズ除去部３０４１は、加筆修正前文書の画像データに含まれるノイズを除去する。ノイズ除去部３０４２は、加筆修正後文書の画像データに含まれるノイズを除去する。これらノイズ除去部３０４１，３０４２では、ノイズ除去の程度を決めるパラメータを基にノイズ除去処理が行われる。
【００３８】
位置合わせ部３０４３は、加筆修正前文書および加筆修正後文書の２つの画像の相対的な位置ずれを補正することによって両画像の位置合わせを行う。具体的には、補正パラメータを用いた画像変換を一方の画像データに施すことで、２つの画像の相対的な位置合わせを行う。位置合わせ部３０４３では、画像変換の手法の一つとして、例えば、幅方向移動量（Ｘ）、縦方向移動量（Ｙ）、回転角（θ）、倍率（β）を位置合わせの補正パラメータとするアフィン変換を用いる。
【００３９】
膨張処理部３０４４は、位置合わせ部３０４３を経た加筆修正前文書の画像データに対して膨張処理（太線化処理）を行う。ここに、膨張処理とは、加筆修正前文書の画像データを数画素膨らませる処理を言う。膨張処理部３０４４では、膨張の程度を決めるパラメータを基に膨張処理が行われる。
【００４０】
差分抽出部３０４５は、位置合わせ部３０４３を経た加筆修正後文書の画像データから膨張処理部３０４４で膨張処理された加筆修正前文書の画像データを差し引く（差分）処理を行うことで、その差分抽出結果を加筆（追記）情報として出力する。この加筆情報の抽出には、周知の技術、例えば特開２００４−２１３２３０号公報や、特開２００４−３４１９１４号公報等に記載の差分抽出技術を用いることができる。
【００４１】
その差分抽出技術とは、例えば、原本ドキュメント（加筆修正前文書）の画像データのｘ，ｙ座標位置と、追記ドキュメント（加筆修正後文書）の画像データのｘ，ｙ座標位置との差分の有無を検出し、差分が存在する場合にのみ追記情報として抽出するというものである。原本ドキュメント（加筆修正前文書）の画像データに存在するが、追記ドキュメント（加筆修正後文書）の画像データに存在しない画素や領域などは、ノイズであるため抽出しない。ただし、この差分抽出技術は加筆情報を抽出する技術の一例に過ぎず、これに限られるものではない。
【００４２】
孤立除去部３０４６は、差分抽出部３０４５の差分抽出結果のうち、孤立する点をノイズと見なして加筆（追記）情報から除外し、最終的な加筆情報（加筆修正領域の情報）として出力する。孤立除去部３０４６では、ノイズと見なす程度を決めるパラメータを基に孤立除去処理が行われる。
【００４３】
（抽出領域明示ファイル）
図２に説明を戻す。図２において、抽出領域明示ファイル作成部３０５は、加筆修正領域抽出部３０４によって抽出された加筆修正領域を明示したファイル（以下、「抽出領域明示ファイル」と記述する）を作成する。この作成された抽出領域明示ファイルは、データベース部３０６に格納される。ここで、抽出領域明示ファイルのファイル例について説明する。
【００４４】
例えば、抽出した加筆修正領域だけを別ファイルとして抽出領域明示ファイルを作成するようにする。具体的には、抽出した加筆修正領域だけを存在するページ（文書）上に残す（加筆修正領域以外は削除）ようにする。あるいは、一連の処理で扱う複数枚の文書のうち、加筆修正領域がある文書（ページ）だけを残すようにする。
【００４５】
さらには、加筆修正領域とそれ以外の領域の色を変える、例えば、加筆修正領域を赤、加筆修正領域以外の領域を黒にしたり、加筆修正領域を所定の色の枠で囲んだり、背景色付き矩形で囲んだり、加筆修正領域に所定の色で下線を引いたり、加筆修正領域に電子付箋を貼ったりするようにする。これらの場合、文字の色、枠の色、背景の色、下線の色、電子付箋の色を第２版、第３版、……、で順次変えることで、版を分かりやすくすることができる。
【００４６】
図２に説明を戻す。図２において、パラメータ設定部３０７は、加筆修正領域抽出部３０４に対して加筆修正領域を抽出する加減（度合い）を変更するパラメータを設定する。このパラメータとしては、例えば、図３に示すノイズ除去部３０４１，３０４２、膨張処理部３０４４および孤立除去部３０４６の各パラメータが挙げられる。これらパラメータを任意に設定することにより、加筆修正領域を抽出する加減（度合い）を変更し、加筆修正領域を抽出しやすくしたり、抽出しにくくしたりすることができる。
【００４７】
パラメータ設定部３０７としては、例えば、ユーザが操作する操作部（図示せず）を兼用することができる。この場合は、抽出領域明示ファイル作成部３０５で作成された抽出領域明示ファイル（後述するように、印刷出力あるいは表示出力された抽出領域明示ファイル）を基に、パラメータ設定部３０６である操作部からのユーザによる入力操作によって、加筆修正領域抽出部３０４に対して設定するパラメータを調整することになる。
【００４８】
ただし、パラメータ設定部３０７は、ユーザによる手動でのパラメータ設定（調整）に限られるものではなく、自動でパラメータを設定する構成であっても良い。具体的には、あらかじめテストチャートを処理させ、抽出結果がテストチャートへの追記（加筆）と同じになるように自動でパラメータを調整するようにする。
【００４９】
また、あらかじめテストチャートを処理させ、抽出結果がテストチャートへの追記と同等以上（追記した部分の抽出漏れは無し）になるように自動でパラメータを調整するようにする（抽出過多は可）。さらに、あらかじめテストチャートを処理させ、抽出結果がテストチャートへの追記と同等以下（追記した部分以外の抽出無し）になるように自動でパラメータを調整するようにする（抽出漏れは可）。
【００５０】
データ修正部３０８は、第１画像記憶部３０１に蓄積されている加筆修正前文書の画像データを基に、当該加筆修正前文書に記入されている記入情報をデータ化する。ここに、記入情報とは、記入が行われる原本文書に記載されている情報や、加筆修正が行われた第１版以降の加筆修正後文書に記入（追記）されている情報を言う。データ位置算出部３０９は、第１画像記憶部３０１に蓄積されている加筆修正前文書の画像データを基に、当該加筆修正前文書に記入されている記入情報の文書上の位置を算出してデータ化する。
【００５１】
データ関連付け部３１０は、加筆修正前文書の各々について、データ修正部３０８でデータ化された記入情報と、当該記入位置に対応するデータ位置算出部３０９で算出され、データ化された位置情報とを関連付けてデータベース部３０６に格納する。なお、記入情報とその位置情報を取得する場合、未記入の原本文書があると、当該原本文書と比較することにより、記入情報とその位置情報の取得をより確実に行うことができる。
【００５２】
データ修正部３１１は、加筆修正領域抽出部３０４で加筆修正後文書から抽出された追記情報（加筆修正領域）をデータ化する。データ位置算出部３１２は、加筆修正領域抽出部３０４で加筆修正後文書から抽出された追記情報の文書上の位置を算出してデータ化する。データ修正部３１３は、データ修正部３１１でデータ化された追記情報とデータ位置算出部３１２で算出された追記情報の位置情報を基に、データベース部３０６に格納されている対応する加筆修正前文書に対して、追記情報の位置に対応する位置の記入情報を当該追記情報に自動修正し、当該修正後の文書を加筆修正後文書の画像データとしてデータベース部３０６に格納する。
【００５３】
画像出力部４０は、図１の複合機５の画像形成部（プリンタ）、あるいは、ＰＣ４の表示部（ディスプレイ）に相当し、抽出領域明示ファイル作成部３０５によって作成され、データベース部３０６に格納されている抽出領域明示ファイル、または、データ修正部３１３によって修正され、データベース部３０６に格納されている加筆修正後文書の画像データを、紙に印刷出力あるいはディスプレイに表示出力する。
【００５４】
上記構成の画像処理装置（本例では、図１の会社Ｂ側の画像処理装置６に相当）は、会社Ａ側の画像処理装置３で加筆修正された加筆修正後文書から抽出した加筆修正領域を用いて作成した抽出領域明示ファイルを見て、ユーザが当該加筆修正領域に対応する箇所を手動で修正して最終的な修正文書を作成する手動修正処理と、加筆修正後文書から抽出された加筆修正領域を基に当該加筆修正領域に対応する箇所を自動的に修正して最終的な修正文書を作成する自動修正処理とに対応可能な構成となっている。
【００５５】
手動修正処理では、対応文書画像指定部３０３によって指定された加筆修正前文書の画像データと、当該加筆修正前文書の画像データに対応する加筆修正後文書の画像データとを加筆修正領域抽出部３０４で比較して加筆修正領域を抽出し、当該加筆修正領域を明示した抽出領域明示ファイルを抽出領域明示ファイル作成部３０５で作成し、当該抽出領域明示ファイルを例えばデータベース部３０６を経由して（データベース部３０６を経由しない場合も可）画像出力部４０にて印刷出力あるいは表示出力する。そして、この印刷出力あるいは表示出力を見て、ユーザはＰＣ４のキーボードから加筆修正領域の情報のみを修正入力することになる。
【００５６】
自動修正処理では、データ修正部３０８、データ位置算出部３０９およびデータ関連付け部３１０（特許請求の範囲の関連付け手段に対応）の作用により、加筆修正前文書の画像データから当該加筆修正前文書の記入情報とその文書上の位置情報を取得し、データ化して記入情報の位置とデータとを関連付けてデータベース部３０６に記憶しておく一方、加筆修正後文書の画像データから加筆修正領域抽出部３０４で加筆修正領域を抽出したら、データ修正部３１１、データ位置算出部３１２およびデータ修正部３１３（特許請求の範囲の修正手段に対応）の作用により、加筆修正領域の位置を把握し、当該加筆修正領域に対応する、データベース部３０６に格納されている加筆修正前文書の記入情報を、抽出した加筆修正領域の情報に自動的に修正し、加筆修正抽出文書を作成する。
【００５７】
なお、上記実施形態では、第１画像入力部１０として図１の複合機５の画像読取部（スキャナ）を用い、当該画像入力部１０で加筆修正前文書を読み取ってその画像データを第１画像記憶部３０１に記憶するとしたが、第１画像入力部（第１ファイル入力部）１０として図１のＰＣ４を用い、当該ＰＣ４でワードやパワーポイント等のアプリケーションソフトを用いて文書ファイルを作成し、当該文書ファイルを第１画像記憶部（第１ファイル記憶部）３０１に記憶する構成を採ることも可能である。
【００５８】
この場合、第２画像記憶部（第２ファイル記憶部）３０２に対しても、第２画像入力部第２ファイル入力部）２０から文書ファイルが入力されることになる。例えば、図１において、加筆修正前文書の文書ファイルが会社Ｂから会社Ａにネットワーク７を介して送信され、会社Ａでは会社Ｂから受け取った加筆修正前文書の文書ファイルに対してＰＣ１上で加筆修正が行われ、その加筆修正後文書の文書ファイルを会社Ａから会社Ｂにネットワーク７を介して送信されることで、通信手段である第２ファイル入力部２０が当該加筆修正後文書の文書ファイルを受信して第２ファイル記憶部３０２に入力することになる。
【００５９】
また、上記実施形態では、加筆修正前文書の第１画像データ（第１文書ファイル）を記憶する第１画像記憶部（第１ファイル記憶部）３０１と、加筆修正後文書の第２画像データ（第２文書ファイル）を記憶する第２画像記憶部（第２ファイル記憶部）３０２を画像データ処理部３０の構成要素としたが、第１，第２画像記憶部（第１，第２ファイル記憶部）３０１，３０２として、例えばネットワーク７に接続されて画像処理装置３，６と通信可能なファイルサーバを用い、当該ファイルサーバに加筆修正前文書の第１画像データ（第１文書ファイル）および加筆修正後文書の第２画像データ（第２文書ファイル）を記憶する構成を採ることも可能である。
【００６０】
上記構成の画像処理装置における画像データ処理部３０の各構成要素、即ち第１，第２画像記憶部３０１，３０２、対応文書画像指定部３０３、加筆修正領域抽出部３０４、抽出領域明示ファイル作成部３０５、データベース部３０６、パラメータ設定部３０７、データ修正部３０８、データ位置算出部３０９、データ関連付け部３１０、データ修正部３１１、データ位置算出部３１２およびデータ修正部３１３については、ＰＣ（パーソナルコンピュータ）のように、所定プログラムを実行することによって情報記憶処理、画像処理、演算処理等の各機能を実行するコンピュータ機器を利用してソフトウェア構成によって実現することが考えられる。
【００６１】
ただし、ソフトウェア構成による実現に限られるものではなく、ハードウェア構成、あるいはハードウェアとソフトウェアの複合構成によって実現することも可能である。ソフトウェア構成によって実現する場合、第１，第２画像記憶部３０１，３０２、対応文書画像指定部３０３、加筆修正領域抽出部３０４、抽出領域明示ファイル作成部３０５、データベース部３０６、パラメータ設定部３０７、データ修正部３０８、データ位置算出部３０９、データ関連付け部３１０、データ修正部３１１、データ位置算出部３１２およびデータ修正部３１３としてコンピュータを機能させるプログラムが本発明による画像処理プログラムとなる。
【００６２】
また、以下に説明する処理シーケンスにおける各処理ステップの処理を実行するプログラムが、本発明による画像処理プログラムであるとも言える。そして、これらの画像処理プログラムについては、あらかじめコンピュータ内にインストールしておくことが考えられる。ただし、あらかじめインストールされているのではなく、コンピュータ読み取り可能な記憶媒体に格納されて提供されるものであっても良く、または有線若しくは無線による通信手段を介して配信されるものであっても良い。
【００６３】
［加筆修正抽出文書作成処理］
次に、加筆修正領域を抽出し、加筆修正前文書の記入情報を加筆修正領域の情報に修正して加筆修正抽出文書を作成する処理の一例について、図４のフローチャートを用いて説明する。
【００６４】
ここでは、文書ファイルが複数ページ（複数文書）の場合を例に挙げて説明するものとする。また、第１ファイル記憶部（第１画像記憶部）３０１には、記入済み文書ファイル第１版がファイルごとに分類されて記憶されているものとする。このとき、文書ファイルには、所定のファイル名が付与される。
【００６５】
ファイル名については次のような付与の仕方が考えられる。
・ユーザ指定によって任意のファイル名を付与する。
・加筆修正前文書（ここでは、未記入の原本文書）に類似したファイル名を付与する。例えば、加筆修正前文書のファイル名が“ＩＤ１００１−１”のときは、加筆修正後文書のファイル名を“ＩＤ１００１−２”とする。
・文書ファイルの画像に含まれるコード情報に基づいてファイル名を付与する。例えば、コード情報が“２００１”で、加筆修正後文書が第２版のときは、ファイル名を“２００１−２”とする。
・文書ファイルの画像そのものをファイル名として用いる。
【００６６】
図４のフローチャートにおいて、加筆修正後文書が文書ファイル化（電子ファイル化）され、第２ファイル記憶部（第２画像記憶部）３０２に記憶されたら、当該文書ファイルに含まれる例えばコード情報を解析し（ステップＳ１１）、次いで当該加筆修正後文書の文書ファイルに対応する加筆修正前文書の文書ファイルを第１ファイル記憶部（第１画像記憶部）３０１から取得する（ステップＳ１２）。
【００６７】
次に、加筆修正後文書および加筆修正前文書の両ファイルのページ数を比較し、一致するか否かを判断し（ステップＳ１３）、一致すれば、加筆修正後文書の文書ファイルに対応する加筆修正前文書の画像データを取り出す（ステップＳ１４）。ステップＳ１１〜Ｓ１４の処理は、図２の対応文書画像指定部３０３の処理に相当する。ここで、不一致の場合は、例えば警告を表示し（ステップＳ１５）、本処理を中断する。
【００６８】
ここでは、不一致の場合に、警告を表示し、処理を中断するとしたが、次のような手法を採ることも可能である。すなわち、ページ番号を利用し、ページ番号が等しいページ同士を対応する文書としたり、ページ中に含まれるタイトルやキーワードを利用し、これらが等しいページ同士を対応する文書としたり、画像照合を行い、特徴量が等しいページ同士を対応する文書としたりする手法である。
【００６９】
次に、加筆修正後文書の文書ファイルに対応する加筆修正前文書の画像データを取り出したら、加筆修正後文書の画像データと、当該加筆修正後文書の画像データに対応する加筆修正前文書の画像データとを比較することにより、加筆修正後文書中から加筆修正領域を抽出する（ステップＳ１６）。このステップＳ１６の処理は、図２の加算修正領域抽出部３０４の処理に相当する。
【００７０】
次に、この抽出した加筆修正領域の位置を把握し、当該加筆修正領域に対応する加筆修正前文書の記入情報を、当該抽出した加筆修正領域の情報に修正して加筆修正抽出文書を作成し、データベース部３０６の別のホルダーに格納する（ステップＳ１７）。このステップＳ１７の処理は、図２のデータ修正部３１１、データ位置算出部３１２およびデータ修正部３１３の処理に相当する。
【００７１】
なお、上述した一連の処理シーケンスの例では、自動修正処理の場合を例に挙げて説明したが、手動修正の場合には、ステップＳ１６で抽出した加筆修正領域を明示した抽出領域明示ファイルを作成し、しかる後当該抽出領域明示ファイルを画像出力部４０にて印刷出力あるいは表示出力する。そして、この印刷出力あるいは表示出力を見て、ユーザがＰＣ４のキーボードから加筆修正領域の情報のみを修正入力して加筆修正抽出文書を作成することになる。
【００７２】
以上説明したように、加筆修正前文書（最初の記入済み文書、１回目，２回目，…の加筆修正後文書）と加筆修正後文書（１回目，２回目，３回目，…の加筆修正後文書）とを基に加筆修正情報を修正入力（再入力）して加筆修正抽出文書を作成する画像処理において、加筆修正前文書の文書ファイルまたは画像データを保存しておき、加筆修正後文書を入手したら、その文書ファイルまたは画像データを取得して、当該加筆修正後文書に対応する加筆修正前文書を指示し、加筆修正前文書と加筆修正後文書をページ単位で比較し加筆修正領域を抽出して加筆修正領域明示ファイルを作成することで、手動修正の場合に、抽出した加筆修正領域の情報を再入力処理へ反映させることができるために、作業者は加筆修正された情報のみを再入力するだけで良く、再入力の作業性を大幅に向上できる。
【００７３】
図５は、加筆修正抽出文書を作成する場合における一具体例の処理の流れを示す概念図である。ここでは、未記入の原本文書（Ａ）に１度記入が行われ、この1度記入された加筆修正前文書（Ｂ）に対して加筆・修正が行われた際に、その加筆修正後文書（Ｃ）と加筆修正前文書（Ｂ）から加筆修正領域を抽出し、加筆修正抽出文書（Ｄ）するとともに、加筆修正前文書（Ｂ）から入力データを取り出して作成された記入情報のデータベースを、加筆修正抽出文書（Ｄ）を利用して、修正箇所のデータを修正する場合の処理の流れを示している。
【００７４】
一例として、会社Ｂが会社Ａに対して調査報告書の作成を依頼した場合の次のようなケースを想定する。会社Ａが未記入の調査報告書、即ち原本文書（Ａ）に調査結果（調査データ）を手書き記入して加筆修正前文書（Ｂ）を会社Ｂに提出し、会社Ｂではこの加筆修正前文書（Ｂ）の記入内容をチェックし、修正点、不足点や抜け漏れがあった場合に会社Ａに調査報告書を戻す。すると、会社Ａは、会社Ｂから戻された同一の調査報告書、即ち加筆修正前文書（Ｂ）に対して加筆修正を行ってその加筆修正後文書（Ｃ）を再度会社Ｂに送付する。このようなやり取りが、会社Ｂが会社Ａの記入内容に修正点、不足点や抜け漏れが無いと判断するまで繰り返される。
【００７５】
このようなケースでは、従来は、会社Ｂ側では会社Ａ側の加筆修正箇所を把握できないために、会社Ａから送付される加筆修正前文書（Ｂ）および加筆修正後文書（Ｃ）の第１版、第２版、……の全ての記入情報（全調査データ）を、会社Ａから送付される都度コンピュータに手入力していたために作業性が非常に悪かった。
【００７６】
これに対して、加筆修正前文書（Ｂ）と加筆修正後文書（Ｃ）とを比較して加筆修正領域を抽出し、加筆修正抽出文書（Ｄ）を作成することで、当該加筆修正抽出文書（Ｄ）によって加筆修正後文書（Ｃ）の加筆修正箇所を作業者に分かりやすく明示できる。これにより、作業者は加筆修正後文書（Ｃ）の全ての記入情報を再入力する必要がなく、加筆修正箇所の情報のみを再入力するだけで追加訂正の行われたデータベースを作成できるために、再入力の作業性を大幅に向上できるのである。加筆修正抽出文書（Ｄ）において、加筆修正情報は例えば赤色で表現される。
【００７７】
なお、手動修正のみならず、自動修正の処理により、加筆修正後文書（Ｃ）の画像データから加筆修正領域を抽出、加筆修正抽出文書（Ｄ）を作成したら、加筆修正領域の位置を把握し、当該加筆修正領域に対応する加筆修正前文書（Ｂ）の記入情報を、抽出した加筆修正領域の情報に自動的に修正し、データベースを作成することで、作業者による再入力の作業性が不要になるために、加筆修正抽出文書を作成する作業性をより向上できる。
【００７８】
［加筆修正の形態］
ここで、加筆修正（追記修正）の形態について考える。加筆修正の形態としては、紙文書に対して手書きで加筆修正する手書き追記と、紙だけでなく、ＰＤＦ(Portable Document Format)ファイル等の電子文書ファイルも考慮し、マウスでの加筆修正や、タブレットＰＣへの電子ペンでの加筆修正など電子的に加筆修正する電子的追記とが考えられる。さらに、手書き追記および電子的追記の各々についても様々な処理パターンが考えられる。
【００７９】
以下に、手書き追記および電子的追記の各処理パターンの流れについて、図１および図２を参照しつつ説明する。
【００８０】
ここでは、一例として、会社Ｂが提供した調査報告書（加筆修正前文書）に会社Ａが調査結果を記入する一方、その記入済みの調査報告書（加筆修正後文書）の調査結果を会社Ｂ側でＰＣに手入力する一連の処理において、調査結果に修正点、データの不足点や抜け漏れがあった際に、会社Ｂから送り返された調査報告書（加筆修正前文書）に会社Ａが加筆修正を行い、その加筆修正後の調査報告書（加筆修正後文書）の加筆修正された情報を会社Ｂ側でＰＣに手入力する場合について説明する。
【００８１】
加筆修正された情報のＰＣへの入力の際には、抽出領域明示ファイル作成部３０５で作成された抽出領域明示ファイルを画像出力部４０にて印刷出力あるいは表示出力し、その出力結果を見て、ユーザがＰＣのキーボードから手入力することになる（先述した手動修正処理）。ただし、手動修正処理による入力に限られるものではなく、先述した自動修正処理によって自動的に入力することも可能である。
【００８２】
以下では、手動修正処理および自動修正処理の双方に共通の、加筆修正領域抽出部３０４の処理（差分抽出処理）までの流れについて説明する。
【００８３】
（手書き追記の処理パターン１）
図６は、手書き追記の処理パターン１の処理例を示す概念図である。手書き追記の処理パターン１では、会社Ａから送られた調査結果が記入された調査報告書を会社Ｂがチェックし、調査結果に修正点、データの不足点や抜け漏れがあった際に、当該調査報告書（加筆修正前文書）の文書ファイルを第１文書ファイルとし、この第１文書ファイルをラスタライズ（画像化）して加筆修正前文書の画像データ（第１画像データ）として第１画像記憶部３０１に記憶するとともに、調査報告書を会社Ａに送り返す。
【００８４】
調査報告書を会社Ｂから会社Ａに送り返す手法としては、第１文書ファイルを会社Ｂの複合機５の画像形成部（プリンタ）で印刷出力して紙文書化し、第１紙文書として郵送またはＦＡＸによって会社Ａに送付する手法や、第１文書ファイルをネットワーク７あるいはＣＤ−ＲＯＭ等の記憶媒体を介して会社Ａに送信し、会社Ａの複合機２の画像形成部（プリンタ）で印刷出力することによって第１紙文書とする手法が考えられる。
【００８５】
会社Ａ側では、第１紙文書（加筆修正前文書）について、修正点、データの不足点や抜け漏れに対して手書き追記にて加筆修正を行って第２紙文書（加筆修正後文書）とする。そして、この第２紙文書を会社Ａから会社Ｂに送付する訳であるが、その送付の手法としては、第２紙文書を会社Ａの複合機２の画像読取部（スキャナ）で読み取って画像データとし、当該画像データをネットワーク７あるいは記憶媒体を介して会社Ｂに送信する手法や、第２紙文書をそのまま郵送またはＦＡＸによって送付し、会社Ｂの複合機５の画像読取部（スキャナ）で読み取って画像データとする手法が考えられる。
【００８６】
いずれかの手法によって会社Ｂに送付された第２紙文書（加筆修正後文書）の画像データは第２画像データとして第２画像記憶部３０２に記憶される。そして、対応文書画像指定部３０３および加筆修正領域抽出部３０４の作用により、第１の画像データである加筆修正前文書の画像データと第２の画像データである加筆修正後文書の画像データとを比較することによって加筆修正領域を抽出する。
【００８７】
（手書き追記の処理パターン２）
図７は、手書き追記の処理パターン２の処理例を示す概念図である。手書き追記の処理パターン２では、手書き追記の処理パターン１では、会社Ａから送られた調査結果が記入された調査報告書を会社Ｂがチェックし、調査結果に修正点、データの不足点や抜け漏れがあった際に、当該調査報告書（加筆修正前文書）を加筆修正前文書の画像データ（第１画像データ）として第１画像記憶部３０１に記憶するとともに、調査報告書を会社Ａに送り返す。
【００８８】
調査報告書を会社Ｂから会社Ａに送り返す手法としては、第１画像データを会社Ｂの複合機５の画像形成部で印刷出力して紙文書化し、第１紙文書として郵送またはＦＡＸによって会社Ａに送付する手法や、第１文書ファイルをネットワーク７あるいはＣＤ−ＲＯＭ等の記憶媒体を介して会社Ａに送信し、会社Ａの複合機２の画像形成部で印刷出力することによって第１紙文書とする手法が考えられる。
【００８９】
会社Ａ側では、第１紙文書（加筆修正前文書）について、修正点、データの不足点や抜け漏れに対して手書き追記にて加筆修正を行って第２紙文書（加筆修正後文書）とする。そして、この第２紙文書を会社Ａから会社Ｂに送付する訳であるが、その送付の手法としては、第２紙文書を会社Ａの複合機２の画像読取部で読み取って画像データとし、当該画像データをネットワーク７あるいは記憶媒体を介して会社Ｂに送信する手法や、第２紙文書をそのまま郵送またはＦＡＸによって送付し、会社Ｂの複合機５の画像読取部で読み取って画像データとする手法が考えられる。
【００９０】
いずれかの手法によって会社Ｂに送付された第２紙文書（加筆修正後文書）の画像データは第２画像データとして第２画像記憶部３０２に記憶される。そして、対応文書画像指定部３０３および加筆修正領域抽出部３０４の作用により、第１の画像データである加筆修正前文書の画像データと第２の画像データである加筆修正後文書の画像データとを比較することによって加筆修正領域を抽出する。
【００９１】
（手書き追記の処理パターン３）
図８は、手書き追記の処理パターン３の処理例を示す概念図である。手書き追記の処理パターン３では、会社Ａから送られた調査結果が記入された調査報告書を会社Ｂがチェックし、調査結果に修正点、データの不足点や抜け漏れがあった際に、当該調査報告書（加筆修正前文書）の文書ファイルを第１文書ファイルとし、この第１文書ファイルを会社Ｂの複合機５の画像形成部で印刷出力して紙文書化し、第１紙文書とする。この第１紙文書を会社Ｂの複合機５の画像読取部で読み取って第１画像データとし、第１画像記憶部３０１に記憶するとともに、第１紙文書を郵送またはＦＡＸによって会社Ａに送り返す。
【００９２】
会社Ａ側では、会社Ｂから送り返された第１紙文書（加筆修正前文書）について、修正点、データの不足点や抜け漏れに対して手書き追記にて加筆修正を行って第２紙文書（加筆修正後文書）とする。そして、この第２紙文書を会社Ａから会社Ｂに送付する訳であるが、その送付の手法としては、第２紙文書を会社Ａの複合機２の画像読取部で読み取って画像データとし、当該画像データをネットワーク７あるいは記憶媒体を介して会社Ｂに送信する手法や、第２紙文書をそのまま郵送またはＦＡＸによって送付し、会社Ｂの複合機５の画像読取部で読み取って画像データとする手法が考えられる。
【００９３】
いずれかの手法によって会社Ｂに送付された第２紙文書（加筆修正後文書）の画像データは第２画像データとして第２画像記憶部３０２に記憶される。そして、対応文書画像指定部３０３および加筆修正領域抽出部３０４の作用により、第１の画像データである加筆修正前文書の画像データと第２の画像データである加筆修正後文書の画像データとを比較することによって加筆修正領域を抽出する。
【００９４】
（電子的追記の処理パターン１）
図９は、電子的追記の処理パターン１の処理例を示す概念図である。電子的追記の処理パターン１では、会社Ａから送られた調査結果が記入された調査報告書を会社Ｂがチェックし、調査結果に修正点、データの不足点や抜け漏れがあった際に、当該調査報告書（加筆修正前文書）の文書ファイルを第１文書ファイルとして第１画像記憶部（第１ファイル記憶部）３０１に記憶するとともに、第１文書ファイルをネットワーク７あるいはＣＤ−ＲＯＭ等の記憶媒体を介して会社Ａに送り返す。
【００９５】
会社Ａ側では、第１文書ファイル（加筆修正前文書）について、修正点、データの不足点や抜け漏れに対して電子的追記にて加筆修正を行い、その加筆修正後の第２文書ファイル（加筆修正後文書）をネットワーク７あるいは記憶媒体を介して会社Ｂに送付する。この第２文書ファイルは、第２画像記憶部（第２ファイル記憶部）３０２に記憶される。そして、対応文書画像指定部３０３および加筆修正領域抽出部３０４の作用により、第１文書ファイルである加筆修正前文書の文書ファイルと第２文書ファイルである加筆修正後文書の文書ファイルとを比較することによって加筆修正領域を抽出する。
【００９６】
（電子的追記の処理パターン２）
図１０は、電子的追記の処理パターン２の処理例を示す概念図である。電子的追記の処理パターン２では、会社Ａから送られた調査結果が記入された調査報告書を会社Ｂがチェックし、調査結果に修正点、データの不足点や抜け漏れがあった際に、当該調査報告書（加筆修正前文書）の文書ファイルを第１文書ファイルとし、この第１文書ファイルをラスタライズして加筆修正前文書の画像データ（第１画像データ）として第１画像記憶部３０１に記憶するとともに、第１文書ファイルをネットワーク７あるいはＣＤ−ＲＯＭ等の記憶媒体を介して会社Ａに送り返す。
【００９７】
会社Ａ側では、第１文書ファイル（加筆修正前文書）について、修正点、データの不足点や抜け漏れに対して電子的追記にて加筆修正を行い、その加筆修正後の第２文書ファイル（加筆修正後文書）をネットワーク７あるいは記憶媒体を介して会社Ｂに送付する。この第２文書ファイルは、ラスタライズされて第２画像データとして第２画像記憶部３０２に記憶される。そして、対応文書画像指定部３０３および加筆修正領域抽出部３０４の作用により、第１の画像データである加筆修正前文書の画像データと第２の画像データである加筆修正後文書の画像データとを比較することによって加筆修正領域を抽出する。
【００９８】
（電子的追記の処理パターン３）
図１１は、電子的追記の処理パターン３の処理例を示す概念図である。電子的追記の処理パターン３では、会社Ａから送られた調査結果が記入された調査報告書を会社Ｂがチェックし、調査結果に修正点、データの不足点や抜け漏れがあった際に、当該調査報告書（加筆修正前文書）の文書ファイルを第１文書ファイルとし、この第１文書ファイルをラスタライズして加筆修正前文書の画像データ（第１画像データ）として第１画像記憶部３０１に記憶するとともに、第１画像データをネットワーク７あるいはＣＤ−ＲＯＭ等の記憶媒体を介して会社Ａに送り返す。
【００９９】
会社Ａ側では、第１画像データ（加筆修正前文書）について、修正点、データの不足点や抜け漏れに対して電子的追記にて加筆修正を行い、その加筆修正後の第２画像データ（加筆修正後文書）をネットワーク７あるいは記憶媒体を介して会社Ｂに送付する。この第２画像データは、第２画像記憶部３０２に記憶される。そして、対応文書画像指定部３０３および加筆修正領域抽出部３０４の作用により、第１の画像データである加筆修正前文書の画像データと第２の画像データである加筆修正後文書の画像データとを比較することによって加筆修正領域を抽出する。
【０１００】
（電子的追記の処理パターン４）
図１２は、電子的追記の処理パターン４の処理例を示す概念図である。電子的追記の処理パターン４では、会社Ａから送られた調査結果が記入された調査報告書を会社Ｂがチェックし、調査結果に修正点、データの不足点や抜け漏れがあった際に、当該調査報告書（加筆修正前文書）の文書ファイルを第１文書ファイルとし、この第１文書ファイルを会社Ｂの複合機５の画像形成部で印刷出力して紙文書化し、第１紙文書とする。この第１紙文書を会社Ｂの複合機５の画像読取部で読み取って第１画像データとし、第１画像記憶部３０１に記憶するとともに、当該第１画像データをネットワーク７あるいはＣＤ−ＲＯＭ等の記憶媒体を介して会社Ａに送り返す。
【０１０１】
会社Ａ側では、第１画像データ（加筆修正前文書）について、修正点、データの不足点や抜け漏れに対して電子的追記にて加筆修正を行い、その加筆修正後の第２画像データ（加筆修正後文書）をネットワーク７あるいは記憶媒体を介して会社Ｂに送付する。この第２画像データは、第２画像記憶部３０２に記憶される。そして、対応文書画像指定部３０３および加筆修正領域抽出部３０４の作用により、第１の画像データである加筆修正前文書の画像データと第２の画像データである加筆修正後文書の画像データとを比較することによって加筆修正領域を抽出する。
【０１０２】
なお、上記実施形態では、会社Ｂが会社Ａに対して調査報告書の作成を依頼した場合にその調査結果（調査データ）を入力して加筆修正抽出文書を作成する場合の画像処理を例に挙げて説明したが、この適用例は一例に過ぎず、本発明は加筆修正前文書と加筆修正後文書とを基に加筆修正抽出文書を作成する画像処理全般に適用可能である。
【図面の簡単な説明】
【０１０３】
【図１】本発明が適用される画像情報処理システムの構成の概略を示すシステム構成図である。
【図２】本発明の一実施形態に係る画像処理装置の構成例を示すブロック図である。
【図３】加筆修正領域抽出部の構成例を示すブロック図である。
【図４】加筆修正抽出文書を作成する処理の一例を示すフローチャートである。
【図５】加筆修正抽出文書を作成する場合における一具体例の処理の流れを示す概念図である。
【図６】手書き追記の処理パターン１の処理例を示す概念図である。
【図７】手書き追記の処理パターン２の処理例を示す概念図である。
【図８】手書き追記の処理パターン３の処理例を示す概念図である。
【図９】電子的追記の処理パターン１の処理例を示す概念図である。
【図１０】電子的追記の処理パターン２の処理例を示す概念図である。
【図１１】電子的追記の処理パターン３の処理例を示す概念図である。
【図１２】電子的追記の処理パターン４の処理例を示す概念図である。
【符号の説明】
【０１０４】
１，４…パーソナルコンピュータ（ＰＣ）、２，４…複合機、３，６…画像処理装置、７…ネットワーク、１０…第１画像入力部、２０…第２画像入力部、３０…画像データ処理部、４０…画像出力部、３０１…第１画像記憶部、３０２…第２画像記憶部、３０３…対応文書画像指定部、３０４…加筆修正領域抽出部、３０５…抽出領域明示ファイル作成部、３０６…データベース部、３０７…パラメータ設定部、３０８…データ修正部、３０９…データ位置算出部、３１０…データ関連付け部、３１１…データ修正部、３１２…データ位置算出部、３１３…データ修正部
【図１】
2007233671.tif 000003
【図２】
2007233671.tif 000004
【図３】
2007233671.tif 000005
【図４】
2007233671.tif 000006
【図５】
2007233671.tif 000007
【図６】
2007233671.tif 000008
【図７】
2007233671.tif 000009
【図８】
2007233671.tif 000010
【図９】
2007233671.tif 000011
【図１０】
2007233671.tif 000012
【図１１】
2007233671.tif 000013
【図１２】
2007233671.tif 000014